(57)【特許請求の範囲】
【請求項１】
カセットを収納するカセット収納部、及び、前記カセット収納部を開閉する開閉蓋、を備えた筐体と、
前記開閉蓋に対し開き方向の付勢力を作用させる第１ばね部材と、
前記開閉蓋の前記カセット収納部側に設けられたカセット押さえ部材と、
前記カセット押さえ部材に対し前記カセット収納部側への付勢力を作用させる第２ばね部材と、
前記開閉蓋の閉じ状態を維持するためのロック機構と、
前記カセット収納部内に前記カセットが収納されていない状態で前記開閉蓋が閉じられたときに、前記カセット押さえ部材に対し前記第２ばね部材の縮短方向への押圧力を作用させる、押圧機構と、
を有し、
前記押圧機構は、
前記カセット収納部に立設された押圧突起部と、
前記カセット押さえ部材に設けられ、前記カセット収納部内に前記カセットが収納されていない状態で前記開閉蓋が閉じられたときに前記押圧突起部に当接して押圧される、押圧受け部と、
を備えることを特徴とする電子機器。
【請求項２】
請求項１記載の電子機器において、
前記押圧突起部及び前記押圧受け部は、
前記カセット収納部内に前記カセットが収納された状態で前記開閉蓋が閉じられたときに所定のクリアランスを介して対向し、互いに当接しないように配置されている
ことを特徴とする電子機器。
【請求項３】
請求項１又は請求項２の電子機器において、
前記開閉蓋は、
前記筐体の第１側の端部に位置する回転軸心まわりに回動して開閉し、
前記押圧突起部は、
前記カセット収納部のうち前記第１側と反対側の部分に設けられており、
前記押圧受け部は、
前記カセット押さえ部材のうち前記第１側と反対側の部分に設けられている
ことを特徴とする電子機器。
【請求項４】
請求項１又は請求項２記載の電子機器において、
前記第１ばね部材は、
前記筐体内の第２側部分に設けられており、
前記押圧突起部は、
前記カセット収納部のうち前記第２側と反対側の部分に設けられており、
前記押圧受け部は、
前記カセット押さえ部材のうち前記第２側と反対側の部分に設けられている
ことを特徴とする電子機器。
【請求項５】
請求項１又は請求項２記載の電子機器において、
前記筐体は、
前記筐体の第３側部分に、前記開閉蓋の開閉操作を行う開閉操作部を備えており、
前記押圧突起部は、
前記カセット収納部のうち前記第３側の部分に設けられており、
前記押圧受け部は、
前記カセット押さえ部材のうち前記第３側の部分に設けられている
ことを特徴とする電子機器。
【請求項６】
請求項１乃至請求項５のいずれか１項記載の電子機器において、
前記カセット収納部は、
被印字テープを供給する前記カセットを収納し、
かつ、
当該カセット収納部に、
前記カセットから供給される前記被印字テープを搬送する搬送手段と、
前記搬送手段により搬送される前記被印字テープに印刷を行う印字手段と、
が設けられている
ことを特徴とする電子機器。
【請求項７】
請求項６記載の電子機器において、
前記搬送手段は、搬送ローラを駆動する駆動軸であり、
当該駆動軸が、前記押圧突起部を兼ねる
ことを特徴とする電子機器。
【請求項８】
カセットを収納するカセット収納部、及び、前記カセット収納部を開閉する開閉蓋、を備えた筐体と、
前記開閉蓋に対し開き方向の付勢力を作用させる第１ばね部材と、
前記開閉蓋の前記カセット収納部側に設けられたカセット押さえ部材と、
前記カセット押さえ部材に対し前記カセット収納部側への付勢力を作用させる第２ばね部材と、
前記開閉蓋の閉じ状態を維持するためのロック機構と、
前記カセット収納部内に前記カセットが収納されていない状態で前記開閉蓋が閉じられたときに、前記カセット押さえ部材に対し前記第２ばね部材の縮短方向への押圧力を作用させる、押圧機構と、
前記開閉蓋の、反カセット収納部側に設けられて、タッチパネルを備えたタッチパネルユニットと、
を有することを特徴とする電子機器。
【請求項９】
カセットを収納するカセット収納部、及び、前記カセット収納部を開閉する開閉蓋、を備えた筐体と、
前記開閉蓋に対し開き方向の付勢力を作用させる第１ばね部材と、
前記開閉蓋の前記カセット収納部側に設けられたカセット押さえ部材と、
前記カセット押さえ部材に対し前記カセット収納部側への付勢力を作用させる第２ばね部材と、
前記開閉蓋の閉じ状態を維持するためのロック機構と、
前記カセット収納部内に前記カセットが収納されていない状態で前記開閉蓋が閉じられたときに、前記カセット押さえ部材に対し前記第２ばね部材の縮短方向への押圧力を作用させる、押圧機構と、
を有することを特徴とする電子機器。
【発明の詳細な説明】
【技術分野】
【０００１】
本発明は、電子機器に関する。
【背景技術】
【０００２】
特許文献１には、電子機器（印字装置）が記載されている。この電子機器は、筐体（本体カバー）に、カセット（テープカセット）を収納するカセット収納部（カセット装着部）が設けられており、そのカセット収納部は、開閉蓋（カバー）によって開閉される。
【先行技術文献】
【特許文献】
【０００３】
【特許文献１】特開２０１２−１５２９５１号公報
【発明の概要】
【発明が解決しようとする課題】
【０００４】
上記従来技術では、開閉蓋のためにばね部材が設けられており、そのばね部材が開閉蓋に対し開き方向の付勢力を常時作用させることにより、開閉蓋の開き動作の円滑化が図られている。
【０００５】
但し、開閉蓋が比較的重かったり開閉蓋に対し付属物が取り付けられる等の何らかの事情で、上記ばね部材による開き動作の円滑化が必ずしも十分でない場合があり得る。
【０００６】
本発明の目的は、開閉蓋の円滑な開き動作を十分かつ確実に行うことができる電子機器を提供することにある。
【課題を解決するための手段】
【０００７】
上記目的を達成するために、本願発明は、カセットを収納するカセット収納部、及び、前記カセット収納部を開閉する開閉蓋、を備えた筐体と、前記開閉蓋に対し開き方向の付勢力を作用させる第１ばね部材と、前記開閉蓋の前記カセット収納部側に設けられたカセット押さえ部材と、前記カセット押さえ部材に対し前記カセット収納部側への付勢力を作用させる第２ばね部材と、前記開閉蓋の閉じ状態を維持するためのロック機構と、前記カセット収納部内に前記カセットが収納されていない状態で前記開閉蓋が閉じられたときに、前記カセット押さえ部材に対し前記第２ばね部材の縮短方向への押圧力を作用させる、押圧機構と、を有し、前記押圧機構は、前記カセット収納部に立設された押圧突起部と、前記カセット押さえ部材に設けられ、前記カセット収納部内に前記カセットが収納されていない状態で前記開閉蓋が閉じられたときに前記押圧突起部に当接して押圧される、押圧受け部と、を備える。
【０００８】
本願発明は、筐体に、カセットを収納するカセット収納部が設けられており、そのカセット収納部は開閉蓋によって開閉される。この開閉蓋のために第１ばね部材が設けられており、第１ばね部材が開閉蓋に対し開き方向の付勢力を常時作用させることにより、開閉蓋の開き動作の円滑化が図られている。
【０００９】
但し、開閉蓋が比較的重かったり開閉蓋に対し付属物が取り付けられる等の何らかの事情で、上記第１ばね部材による開き動作の円滑化が必ずしも十分でない場合があり得る。そこで、本願発明においては、カセット収納部内におけるカセットの安定的な収納のために設けられる、カセット押さえ部材及び第２ばね部材を活用する。
【００１０】
すなわち、上記カセット押さえ部材は、開閉蓋のカセット収納部側に設けられており、上記第２ばね部材は、上記カセット押さえ部材に対し、上記カセット収納部側への付勢力を作用させるようになっている。これにより、カセット収納部内にカセットを収納して上記開閉蓋を閉じ状態とすると、カセット押さえ部材のカセット収納部側がカセットに当接するとともに、上記第２ばね部材の付勢力がカセット押さえ部材からカセットに伝達されてカセットがカセット収納部内において上記付勢力の方向に押圧されるので、カセットは安定的に収納される。
【００１１】
ここで、上記カセット収納部内にカセットを収納しない状態で上記開閉蓋を閉じ状態とすると、そのままでは（カセット収納部の当接相手であるカセットが存在しないことから）第２ばね部材はどこにも付勢力を作用させない状態となる。そこで本願発明は、開閉蓋のカセット収納部側において上記のように遊んだ状態にある第２ばね部材を活用すべく、押圧機構が設けられる。この押圧機構により、上記のようにカセットが収納されていない状態で開閉蓋が閉じられたときに、カセット押さえ部材に対し上記第２ばね部材の縮短方向への押圧力が作用する。この結果、第２ばね部材は、上記押圧力に抗して伸張方向（すなわち開閉蓋の開き方向）への付勢力をカセット押さえ部材に対して作用させることとなる。したがって、このような閉じ状態では、前述のようにして常に作用している第１ばね部材の上記開き方向への付勢力と、上記縮短に由来する第２ばね部材の上記開き方向への付勢力とが、合算されて作用する。このようにして第１ばね部材及び第２ばね部材の付勢力が合算して作用することにより、その合算した付勢力によって、ロック機構によるロック解除後の開閉蓋の開き動作が加速されるので、開閉蓋の円滑な開き動作を十分かつ確実に行うことができる。
【発明の効果】
【００１２】
本発明によれば、開閉蓋の円滑な開き動作を十分かつ確実に行うことができる。
【図面の簡単な説明】
【００１３】
【図１】本発明の一実施形態の印字装置の構成をカバー閉じ状態で表す斜視図である。
【図２】印字装置の構成をカバー開き状態で表す斜視図である。
【図３】印字装置の構成をカバー開き状態で表す斜視図である。
【図４】テープカセットの構成を表す平面図である。
【図５】カバーの構成を表す斜視図である。
【図６】カバーの構成を表す一部省略・透視した側面図である。
【図７】カセット押さえ機構の構成を表す斜視図である。
【図８】テープカセットを装着した状態でカバーを閉じた印刷装置の断面図である。
【図９】テープカセットを装着しない状態でカバーを閉じた印刷装置の断面図である。
【図１０】カバーにタッチパネルユニットを設ける変形例における、印字装置の構成を表す斜視図である。
【発明を実施するための形態】
【００１４】
以下、本発明の一実施形態を図面を参照しつつ説明する。なお、図面中に「前」「後」「左」「右」「上」「下」の注記がある場合は、明細書中の説明における「前」「後」「左」「右」「上」「下」とは、その注記された方向を指す。
【００１５】
＜印字装置の概略構成＞
まず、図１〜図３を参照しつつ、本実施形態の印字装置の概略構成を説明する。
【００１６】
図１〜図３において、印字装置１（電子機器に相当）は１台でサーマルタイプ、レセプタタイプ、ラミネートタイプ等、各種のテープカセットに対応させることが可能な汎用の印字装置である。
【００１７】
印字装置１は、汎用のコンピュータ装置（例えば、パーソナルコンピュータ）に接続可能なタイプであり、キーボードやディスプレイを備えていない。印字装置１は、前後方向を長手方向とする箱状の筐体である本体カバー２と、本体カバー２の上面に設けられテープカセット３０（カセットに相当）の交換時に開閉されるカバー６（開閉蓋に相当）と、を備えた筐体１Ａを有する。カバー６は、平面視略長方形状の蓋部である。カバー６は、本体カバー２の後側（第１側及び第２側に相当）の端部に位置するヒンジ部２２により軸支されており、左右方向の回転軸心周りに回動して、本体カバー２の内部に形成されたカセット装着部８（カセット収納部に相当）を開閉する。カバー６は、カセット装着部８が露出する開放位置と、カセット装着部８を覆う閉鎖位置との間で回動可能である。また、ヒンジ部２２には、ねじりばね２５（第１ばね部材に相当。後述の図５及び図６参照）が内蔵されており、このねじりばね２５がカバー６に対し開き方向の付勢力を常時作用させることにより、カバー６の開き動作の円滑化が図られている。
【００１８】
カバー６のカセット装着部８側の面（以下適宜「裏面」という）には、ロック片２１が形成されており、カバー６が閉じられた場合に、このロック片２１が、本体カバー２の上側面の前側（第３側に相当）部分に形成されたロック機構２３と係合することで、カバー６の閉じ状態が維持される。また、本体カバー２の上側面の前側部分には、カバー６の開閉操作を行うロック解除ボタン２４（開閉操作部に相当）が設けられている。ロック解除ボタン２４が操作されることにより、ロック片２１のロック機構２３との係合が解除され、カバー６が開放可能な状態となる。
【００１９】
また、カバー６の裏面には、カセット押さえ機構１００が設けられている。カセット押さえ機構１００は、カバー６が閉じられた場合に、カセット装着部８に装着されているテープカセット３０を上方から押さえることで、カセット装着部８内でテープカセット３０を保持する。
【００２０】
カセット装着部８は、テープカセット３０を上下方向に着脱可能な領域である。カセット装着部８は、テープカセット３０の底面の形状と略対応するように凹設されている。
【００２１】
＜テープカセット＞
図２〜図４を参照しつつ、テープカセット３０の構成を説明する。この例では、ラミネートタイプのテープカセット３０を例示する。なお、以下において、テープカセット３０の構成に関する方向は、カセット装着部８に装着された状態での方向を指す。
【００２２】
図２〜図４において、テープカセット３０は、全体としては平面視で丸みを帯びた角部を有する略直方体状（箱型）の筐体であるカセットケース３１を有する。以下では、カセットケース３１の底面から上面までの距離を、テープカセット３０またはカセットケース３１の高さという。また、テープカセット３０における上下方向の位置を、高さ位置という。
【００２３】
カセットケース３１は、テープカセット３０の種類にかかわらず、同一の幅（上下方向の長さが同一）に形成された角部３２１〜３２４を有する。カセットケース３１の上下（高さ）方向において角部３２１〜３２４と同一の位置、且つ、同一の幅でカセットケース３１の側面を全周に亘って取り巻く部位（角部３２１〜３２４を含む）を、共通部３２という。テープカセット３０の高さは、収納するテープの幅に応じて異なる。しかし、共通部３２の幅（上下方向の長さ）は、収納するテープの幅にかかわらず、同一寸法に設定されている。
【００２４】
カセットケース３１内には、支持孔６５を介して回転可能に配置された第１テープスプール（図示せず）に巻回された両面粘着テープ５８、支持孔６６を介して回転可能に配置された第２テープスプール（図示せず）に巻回された透明なフィルムテープ５９（被印字テープに相当）、および、支持孔６７を介して回転可能に配置されたリボンスプール（図示せず）に巻回されたインクリボン（図示せず）の３種類のテープロールが収納されている。両面粘着テープ５８は、一面に剥離紙が貼着された両面テープであり、印字済みのフィルムテープ５９の印字面側に貼り合わされる。
【００２５】
カセットケース３１内における第１テープスプールとリボンスプールとの間には、リボン巻取スプール４４が支持孔６８を介して回転可能に配置されている。リボン巻取スプール４４は、リボンスプールからインクリボンを引き出すとともに、文字等の印字にて使用されたインクリボンを巻き取る。
【００２６】
カセットケース３１の右面には、平面視で略半円状をなす溝部が、カセットケース３１の高さ方向に亘って設けられている。カセットケース３１の右面のうち、この溝部から前に延びる部分を、アーム前面３５という。アーム前面３５と、アーム前面３５から左方へ離間した位置に高さ方向に亘って設けられたアーム背面３７とで規定される、テープカセット３０後側から前方に延びる部位をアーム部３４という。
【００２７】
アーム部３４内には、第２テープスプールから引き出されたフィルムテープ５９と、リボンスプールから引き出されたインクリボンとが共に案内されている。フィルムテープ５９とインクリボン６０とは、アーム前面３５とアーム背面３７との各先端で形成された開口３４１で重ね合わされて、テープカセット３０の右面に設けられた開口部７７に向けて排出される。
【００２８】
アーム背面３７と、アーム背面３７から連続して設けられた周壁面とにより囲まれた、テープカセット３０を上下方向に貫通する平面視略長方形状の空間は、ヘッド挿入部３９である。ヘッド挿入部３９には、カセット装着部８に設けられた後述のヘッドホルダ７４（図３参照）が挿入される。アーム部３４の開口３４１から排出されたフィルムテープ５９には、開口部７７において、カセット装着部８に設けられた後述の印字ヘッド１０（図３参照）による印字が行われる。
【００２９】
カセットケース３１のヘッド挿入部３９を臨む位置には、押さえ受け部３９３が設けられている。押さえ受け部３９３は、平面視でアーム前面３５に沿った方向にヘッド挿入部３９から凹んだ略長方形状を有する。押さえ受け部３９３は、テープカセット３０がカセット装着部８に装着された状態でカバー６が閉じられた場合に、上記カセット押さえ機構１００の押さえ部材１０３（後述）によって上方から押圧される部位である。押さえ受け部３９３の高さ位置は、共通部３２の上面の高さ位置と同じである。
【００３０】
カセットケースの右前部に設けられた支持孔６４では、テープ駆動ローラ４６（搬送ローラに相当）が回動可能に軸支されている。テープ駆動ローラ４６は、カセット装着部８に設けられた後述の可動搬送ローラとの協働により、第２テープスプールからフィルムテープ５９を引き出すとともに、テープスプールから両面粘着テープ５８を引き出し、フィルムテープ５９の印字面にガイドして接着させる。
【００３１】
図１〜図３に戻り、カセット装着部８の右部には、発熱体（図示せず）を備える印字ヘッド１０（印字手段に相当）を搭載したヘッドホルダ７４が固設されている。カセット装着部８には、上方に向けて突出するテープ駆動軸９８（駆動軸及び搬送手段に相当）およびリボン巻取軸９５が設けられている。テープ駆動軸９８は、上記テープ駆動ローラ４６を回転させるための軸である。リボン巻取軸９５は、上記リボン巻取スプール４４を回転させるための軸である。カセット装着部８の外側には、テープ駆動軸９８およびリボン巻取軸９５を回転駆動するためのテープ送りモータ（図示せず）が配設されている。
【００３２】
ヘッドホルダ７４の右側には、アーム状のプラテンホルダ１２が揺動可能に軸支されている。プラテンホルダ１２の先端側には、印字ヘッド１０に相対して接離可能に設けられたプラテンローラ１５と、テープカセット３０の上記テープ駆動ローラ４６に相対して接離可能に設けられた可動搬送ローラ（図示せず）とが、共に回転可能に軸支されている。
【００３３】
プラテンホルダ１２には、カバー６の開閉に連動して左右方向に移動するリリースレバー（図示せず）が連結されている。カバー６が開放されると、リリースレバーが後方に移動して、プラテンホルダ１２が右側に回動する。カバー６が閉鎖されると、リリースレバーが前方に移動して、プラテンホルダ１２が左側に回動する。なお、プラテンホルダ１２は、図示しない巻きバネにより常に反時計回りに弾性付勢されている。
【００３４】
本体カバー２の前側面には、印字済みのテープを外部に排出するための排出スリット１１が設けられている。カセット装着部８からみて排出スリット１１の手前には、印字済みのテープが搬送される搬送経路が設けられている。この搬送経路には、印字済みのテープを所定位置で切断するカット機構（図示せず）が設けられている。
【００３５】
＜カセット押さえ機構＞
次に、図２、図３、図５〜図７を参照しつつ、カセット押さえ機構１００の構成を説明する。なお、以下において、カセット押さえ機構１００の構成に関する方向は、カバー６が閉じた状態での方向を指す。
【００３６】
図５〜図７において、カセット押さえ機構１００は、上述のようにカバー６の裏面に設けられており、略Ｌの字型に形成された板状部材である押圧板１１０（カセット押さえ部材に相当）を備える。なお、以下適宜、押圧板１１０において、カバー６の裏側の面を「裏面」といい、カバー６が閉じられた状態でカセット装着部８側の面を「表面」という。押圧板１１０は、カバー６の短手方向（左右方向）に延びる板状下部１１２と、カバー６の長手方向（閉じ状態で前後方向）に延びる板状上部１１１と、を備える。板状上部１１１の長手方向（カバー６が閉じた状態で前後方向）長さは、テープカセット３０の長手方向の大きさよりも若干大きい。板状下部１１２の長手方向（左右方向）長さは、テープカセット３０の短手方向の大きさよりも若干大きい。
【００３７】
板状上部１１１の表面における先端部よりもやや基端部側から垂直に、角柱状の押さえ部材１０１が立設されている。板状上部１１１の表面における基端部よりもやや先端部側から垂直に、角柱状の押さえ部材１０３が立設されている。板状上部１１１の裏面の先端部には、コイルばね１０８（第２ばね部材に相当）が配設される。一方、板状下部１１２の長手方向両端から、小径の軸ピン１０７がそれぞれ突出している。板状下部１１２の表面の先端部から垂直に、角柱状の押さえ部材１０２が立設されている。板状下部１１２の裏面の長さ方向略中央には、コイルばね１０９（第２ばね部材に相当）が配設される。各押さえ部材１０１〜１０３は、押圧板１１０からの突出長さがほぼ等しい。
【００３８】
カバー６の裏面の左右方向両端側には、カバー６の軸支側に隣接して、一対の支持孔６Ａが設けられている。上記押圧板１１０の各軸ピン１０７は、一対の支持孔６Ａにそれぞれ挿入される。押圧板１１０は、板状上部１１１の先端部側がカバー６に係止されている。これにより、押圧板１１０は、カバー６の裏面側で揺動可能となっている。また、上記コイルばね１０８，１０９は、カバー６の裏面と押圧板１１０との間に配置され、押圧板１１０に対しその表面側への付勢力を常時作用させるようになっている。そのため、押圧板１１０は、コイルばね１０８，１０９によって常に押圧板１１０の表面側に弾性付勢されている。
【００３９】
押圧板１１０は、カバー６が閉じられた場合に、カセット装着部８に装着されているテープカセット３０の上方から、上記押さえ部材１０１〜１０３を押さえ付ける。このとき、押さえ部材１０１は、テープカセット３０の上記角部３２４に当接してその上方から押圧する。押さえ部材１０２は、テープカセット３０の上記角部３２２に当接してその上方から押圧する。押さえ部材１０３は、テープカセット３０の上記押さえ受け部３９３に当接してその上方から押圧する。
【００４０】
また、本実施形態では、押圧板１１０のうちカバー６が閉じた状態で前側の部分（この例では板状上部１１１の先端部近傍）には、押圧受け部１０４が設けられている。具体的には、押圧受け部１０４は、押圧板１１０のうち、上記カセット装着部８のうち前側の部分に立設された上記テープ駆動軸９８に対向する部分に設けられている。なお、テープ駆動軸９８及び押圧受け部１０４は、各請求項記載の押圧機構を構成し、そのうちテープ駆動軸９８は、押圧突起部に相当する。テープ駆動軸９８及び押圧受け部１０４は、図８に示すように、カセット装着部８にテープカセット３０が装着された状態でカバー６が閉じられたときには、所定のクリアランスを介して対向し、互いに当接しないようになっている。また、テープ駆動軸９８及び押圧受け部１０４は、図９に示すように、カセット装着部８にテープカセット３０が装着されていない状態でカバー６が閉じられるときには、押圧受け部１０４がテープ駆動軸９８の先端に当接して押圧されることで、押圧板１１０に対し上記コイルばね１０８，１０９の縮短方向への押圧力を作用させるようになっている。
【００４１】
＜テープカセットを装着した状態でカバーを閉じる場合＞
すなわち、カセット装着部８にテープカセット３０を装着してカバー６を閉じると、カバー６の裏面に設けられた押圧板１１０の裏面側の押さえ部材１０１〜１０３の先端が、テープカセット３０の角部３２４，３２２及び押さえ受け部３９３の上面にそれぞれ当接するとともに、コイルばね１０８，１０９の下方への付勢力が押圧板１１０からテープカセット３０に伝達されてテープカセット３０がカセット装着部８内において上記付勢力の方向（下方）に押圧される。なお、このとき、押圧板１１０が上方へ押圧されることで、押圧受け部１０４は、テープ駆動軸９８に当接しない。
【００４２】
＜テープカセットを装着しない状態でカバーを閉じる場合＞
一方、カセット装着部８にテープカセット３０を装着しないでカバー６を閉じると、押圧受け部１０４がテープ駆動軸９８の先端に当接して上方へ押圧されることで、押圧板１１０に対しコイルばね１０８，１０９の縮短方向への押圧力が作用する。この結果、コイルばね１０８，１０９は、上記押圧力に抗して伸張方向（つまりカバー６の開き方向）への付勢力を押圧板１１０に対し作用させることとなる。したがって、このような閉じ状態では、上述のようにして常に作用しているねじりばね２５の上記開き方向への付勢力と、上記縮短に由来するコイルばね１０８，１０９の上記開き方向への付勢力とが、合算されて作用する。
【００４３】
＜テープカセットを装着しない状態で閉じたカバーを開ける場合＞
そして、ロック解除ボタン２４を操作しロック片２１のロック機構２３との係合を解除することで、上記のようにカセット装着部８にテープカセット３０を装着しないで閉じたカバー６を開けるとき、カバー６に対しねじりばね２５及びコイルばね１０８，１０９の上記開き方向への付勢力が合算して作用することで、その合算した付勢力によって、カバー６の開き動作（ロック解除後、カバー６が少し持ち上がるまでの開き動作）が加速される。
【００４４】
＜本実施形態の効果＞
以上説明したように、本実施形態においては、筐体１Ａに、テープカセット３０を収納するカセット装着部８が設けられており、そのカセット装着部８はカバー６によって開閉される。このカバー６のヒンジ部２２にねじりばね２５が設けられており、ねじりばね２５がカバー６に対し開き方向の付勢力を常時作用させることにより、カバー６の開き動作の円滑化が図られている。
【００４５】
但し、カバー６が比較的重かったりカバー６に対し付属物が取り付けられる等の何らかの事情で、上記ねじりばね２５による開き動作の円滑化が必ずしも十分でない場合があり得る。そこで、本実施形態においては、カセット装着部８内におけるテープカセット３０の安定的な収納のために設けられる、押圧板１１０及びコイルばね１０８，１０９を活用する。
【００４６】
すなわち、上記押圧板１１０は、カバー６のカセット装着部８側に設けられており、上記コイルばね１０８，１０９は、上記押圧板１１０に対し、上記カセット装着部８側への付勢力を作用させるようになっている。これにより、カセット装着部８内にテープカセット３０を収納して上記カバー６を閉じ状態とすると、押圧板１１０のカセット装着部８側がテープカセット３０に当接するとともに、上記コイルばね１０８，１０９の付勢力が押圧板１１０からテープカセット３０に伝達されてテープカセット３０がカセット装着部８内において上記付勢力の方向に押圧されるので、テープカセット３０は安定的に収納される。
【００４７】
ここで、上記カセット装着部８内にテープカセット３０を収納しない状態で上記カバー６を閉じ状態とすると、そのままでは（カセット装着部８の当接相手であるテープカセット３０が存在しないことから）コイルばね１０８，１０９はどこにも付勢力を作用させない状態となる。そこで本実施形態は、カバー６のカセット装着部８側において上記のように遊んだ状態にあるコイルばね１０８，１０９を活用すべく、押圧機構（上記の例ではテープ駆動軸９８及び押圧受け部１０４）が設けられる。この押圧機構により、上記のようにテープカセット３０が収納されていない状態でカバー６が閉じられたときに、押圧板１１０に対し上記コイルばね１０８，１０９の縮短方向への押圧力が作用する。この結果、コイルばね１０８，１０９は、上記押圧力に抗して伸張方向（すなわちカバー６の開き方向）への付勢力を押圧板１１０に対して作用させることとなる。したがって、このような閉じ状態では、前述のようにして常に作用しているねじりばね２５の上記開き方向への付勢力と、上記縮短に由来するコイルばね１０８，１０９の上記開き方向への付勢力とが、合算されて作用する。このようにしてねじりばね２５及びコイルばね１０８，１０９の付勢力が合算して作用することにより、その合算した付勢力によって、ロック機構２３によるロック解除後のカバー６の開き動作が加速されるので、カバー６の円滑な開き動作を十分かつ確実に行うことができる。
【００４８】
また、本実施形態では特に、押圧機構は、カセット装着部８に立設された押圧突起部であるテープ駆動軸９８と、押圧板１１０に設けられ、カセット装着部８内にテープカセット３０が収納されていない状態でカバー６が閉じられたときにテープ駆動軸９８に当接して押圧される、押圧受け部１０４と、を備える。これにより、カセット装着部８側のテープ駆動軸９８が押圧受け部１０４に当接することでコイルばね１０８，１０９を確実に縮短させることができる。
【００４９】
また、本実施形態では特に、テープ駆動軸９８及び押圧受け部１０４は、カセット装着部８内にテープカセット３０が収納された状態でカバー６が閉じられたときに所定のクリアランスを介して対向し、互いに当接しないように配置されている。これにより、テープカセット３０の収納時には、テープ駆動軸９８及び押圧受け部１０４間が非当接となり、現行どおりのテープカセット３０の収納安定性が得られる。
【００５０】
また、本実施形態では特に、カバー６は、筐体１Ａの後側の端部に位置する回転軸心まわりに回動して開閉し、テープ駆動軸９８は、カセット装着部８のうち前側の部分に設けられており、押圧受け部１０４は、押圧板１１０のうち前側の部分に設けられている。これにより、カバー６の開閉用の回転軸心側と逆側にてテープ駆動軸９８及び押圧受け部１０４の当接を行うことで、より効果的に付勢を行うことができる。
【００５１】
また、本実施形態では特に、ねじりばね２５は、筐体１Ａ内の後側部分に設けられており、テープ駆動軸９８は、カセット装着部８のうち前側の部分に設けられており、押圧受け部１０４は、押圧板１１０のうち前側の部分に設けられている。これにより、開閉用のねじりばね２５と逆側にてテープ駆動軸９８及び押圧受け部１０４の当接を行うことで、より効果的に付勢を行うことができる。
【００５２】
また、本実施形態では特に、筐体１Ａは、その前側部分に、カバー６の開閉操作を行うロック解除ボタン２４を備えており、テープ駆動軸９８は、カセット装着部８のうち前側の部分に設けられており、押圧受け部１０４は、押圧板１１０のうち前側の部分に設けられている。これにより、ロック解除ボタン２４側にてテープ駆動軸９８及び押圧受け部１０４の当接を行うことで、より効果的に付勢を行うことができる。
【００５３】
また、本実施形態では特に、テープ駆動軸９８が、押圧突起部を兼ねる。これにより、テープ駆動軸９８を活用して押圧受け部１０４との当接を行うことで、新たな部材を設けることなく省スペースとなる。
【００５４】
＜変形例等＞
なお、本発明は、上記実施形態に限られるものではなく、その趣旨及び技術的思想を逸脱しない範囲内で種々の変形が可能である。以下、そのような変形例を説明する。
【００５５】
（１）カバーにタッチパネルユニットを設ける場合
図１１に示すように、本変形例では、印字装置１の上記カバー６のうち上記カセット装着部８（図２等参照）と反対側である表側（反カセット収納部側に相当）に、タッチパネルＴを備えたタッチパネルユニットＴＵが取り付けられている。これ以外の構成は、上記実施形態と同様である。
【００５６】
このようにカバー６に付属物としてタッチパネルユニットＴＵが取り付けられる場合には、上記カバー６におけるヒンジ部２２のねじりばね２５によるカバー６の開き動作の円滑化が十分でない可能性が高いため、カバー６の円滑な開き動作を十分かつ確実に行うために、前述の押圧機構（テープ駆動軸９８及び押圧受け部１０４）を設けることが特に有効である。
【００５７】
（２）その他
以上においては、本発明を印字装置１に適用した場合を説明したが、これに限られず、本発明を他の電子機器に適用してもよい。
【００５８】
以上の説明において、「垂直」「平行」「平面」等の記載がある場合には、当該記載は厳密な意味ではない。すなわち、それら「垂直」「平行」「平面」等とは、設計上、製造上の公差、誤差が許容され、「実質的に垂直」「実質的に平行」「実質的に平面」等という意味である。
【００５９】
また、以上の説明において、外観上の寸法や大きさが「同一」「等しい」「異なる」等の記載がある場合は、当該記載は厳密な意味ではない。すなわち、それら「同一」「等しい」「異なる」等とは、設計上、製造上の公差、誤差が許容され、「実質的に同一」「実質的に等しい」「実質的に異なる」等という意味である。
【００６０】
また、以上既に述べた以外にも、上記実施形態や各変形例による手法を適宜組み合わせて利用してもよい。
【００６１】
その他、一々例示はしないが、本発明は、その趣旨を逸脱しない範囲内において、種々の変更が加えられて実施されるものである。
【符号の説明】
【００６２】
１                印字装置（電子機器）
１Ａ              筐体
３０              テープカセット（カセット）
６                カバー（開閉蓋）
８                カセット装着部（カセット収納部）
１０              印字ヘッド（印字手段）
２３              ロック機構
２４              ロック解除ボタン（開閉操作部）
２５              ねじりばね（第１ばね部材）
４６              テープ駆動ローラ（搬送ローラ）
５９              フィルムテープ（被印字テープ）
９８              テープ駆動軸（駆動軸、搬送手段、押圧突起部）
１０４            押圧受け部
１０８            コイルばね（第２ばね部材）
１０９            コイルばね（第２ばね部材）
１１０            押圧板（カセット押さえ部材）
Ｔ                タッチパネル
ＴＵ              タッチパネルユニット
【図１】
0006443286.tif 000002
【図２】
0006443286.tif 000003
【図３】
0006443286.tif 000004
【図４】
0006443286.tif 000005
【図５】
0006443286.tif 000006
【図６】
0006443286.tif 000007
【図７】
0006443286.tif 000008
【図８】
0006443286.tif 000009
【図９】
0006443286.tif 000010
【図１０】
0006443286.tif 000011